(57)【特許請求の範囲】
【請求項１】
互いに対向する前胴周り域および後胴周り域と、それら胴周り域の間に位置する股下域とを備え、肌当接側に位置する透液性表面シートと、肌非当接側に位置する不透液性裏面シートと、前記表裏面シートの間に介在して前記股下域から前記前後胴周り域へ向かって延びる吸液性コアとから構成され、前記表面シートの外面を胴周り方向へ延びる実質的に不透液性の防漏シートが、前記前胴周り域と前記後胴周り域とのうちの少なくとも一方の胴周り域に取り付けられた使い捨て着用物品において、
前記防漏シートが、前記少なくとも一方の胴周り域に位置する前記コアの端縁の内側及び前記着用物品の胴周り端部を前記胴周り方向へ延びる固定端部と、前記胴周り域に位置する前記コアの両側縁の外側を縦方向へ延びる固定両側部と、前記固定端部から前記股下域の側に偏倚した位置を前記胴周り方向へ延びる自由端部とを有し、
前記胴周り方向へ延びる第１弾性部材が、前記固定端部に伸長状態で取り付けられ、前記胴周り方向へ延びる第２弾性部材が、前記自由端部の前記股下域の側に位置する内端縁近傍に伸長状態で取り付けられ、
前記第１弾性部材が、前記コアの剛性に抗って該コアの端縁近傍を前記肌非当接側へ向かって凸となるように前記胴周り方向へ湾曲させ、前記防漏シートの自由端部が、前記第２弾性部材の収縮によって前記表面シートの外面から離間し、前記胴周り域から前記股下域へ向かって開口するポケットが、前記表面シートと前記防漏シートの自由端部との間に画成されていることを特徴とする前記着用物品。
【請求項２】
前記第１弾性部材の伸長応力が、０．２〜２Ｎ／２５ｍｍの範囲、前記第２弾性部材の伸長応力が、０．０５〜１Ｎ／２５ｍｍの範囲にあり、前記コアのＪＩＳ Ｐ ８１２５による剛軟度が、０．２〜０．０２Ｎ・ｃｍの範囲にある請求項１記載の着用物品。
【発明の詳細な説明】
【０００１】
【発明の属する技術分野】
本発明は、排泄物を吸収、保持する使い捨て着用物品に関する。
【０００２】
【従来の技術】
特開２０００−１４０００４号公報は、肌当接側に位置する透液性表面シートと、肌非当接側に位置する不透液性裏面シートと、表裏面シートの間に介在する吸液性コアとから構成され、前胴周り域および後胴周り域と、それら胴周り域の間に位置する股下域とを備え、胴周り方向へ延びる不透液性の防漏シートが後胴周り域に取り付けられ、胴周り方向へ延びる発泡部材が表面シートと防漏シートとの間に介在する使い捨ておむつを開示している。
【０００３】
防漏シートは、後胴周り域の端部を胴周り方向へ延びる固定端部と、コアの側縁の外側を縦方向へ延びる固定両側部と、固定端部よりも股下域の側に偏倚した位置を胴周り方向へ延びる自由端部とを有する。発泡部材は、防漏シートの固定端部の側に位置する折曲軸において折曲され、その第１部分と第２部分とが折曲軸から股下域へ向かって延びている。発泡部材では、第１部分が表面シートの外面に固着され、第２部分が防漏シートの自由端部の内面に固着されている。
【０００４】
このおむつは、表面シートと防漏シートとの間に後胴周り域から股下域へ向かって開口するポケットが画成され、発泡部材の第１部分と第２部分とが互いに離間しようとすることで、ポケットがその口を開けるという効果を有する。
【０００５】
【発明が解決しようとする課題】
前記公報に開示のおむつでは、その着用時に、発泡部材の第１および第２部分が肌非当接側へ向かって凸となるように胴周り方向へ湾曲する。このおむつでは、第１および第２部分が湾曲すると、それら部分が互いに離間することができず、逆に、第１部分と第２部分とが近接してポケットの口が閉じてしまう場合がある。また、このおむつでは、それを着用したときに、発泡部材が嵩張って違和感がある。
【０００６】
本発明の課題は、発泡部材を利用することなく、表面シートと防漏シートとの間に画成されたポケットがその口を容易に明けることができ、着用時の違和感がない使い捨て着用物品を提供することにある。
【０００７】
【課題を解決するための手段】
前記課題を解決するための本発明の前提は、互いに対向する前胴周り域および後胴周り域と、それら胴周り域の間に位置する股下域とを備え、肌当接側に位置する透液性表面シートと、肌非当接側に位置する不透液性裏面シートと、前記表裏面シートの間に介在して前記股下域から前記前後胴周り域へ向かって延びる吸液性コアとから構成され、前記表面シートの外面を胴周り方向へ延びる実質的に不透液性の防漏シートが、前記前胴周り域と前記後胴周り域とのうちの少なくとも一方の胴周り域に取り付けられた使い捨て着用物品である。
【０００８】
前記前提における本発明の特徴としては、前記防漏シートが、前記少なくとも一方の胴周り域に位置する前記コアの端縁の内側及び前記着用物品の胴周り端部を前記胴周り方向へ延びる固定端部と、前記胴周り域に位置する前記コアの両側縁の外側を縦方向へ延びる固定両側部と、前記固定端部から前記股下域の側に偏倚した位置を前記胴周り方向へ延びる自由端部とを有し、前記胴周り方向へ延びる第１弾性部材が、前記固定端部に伸長状態で取り付けられ、前記胴周り方向へ延びる第２弾性部材が、前記自由端部の前記股下域の側に位置する内端縁近傍に伸長状態で取り付けられ、前記第１弾性部材が、前記コアの剛性に抗って該コアの端縁近傍を前記肌非当接側へ向かって凸となるように前記胴周り方向へ湾曲させ、前記防漏シートの自由端部が、前記第２弾性部材の収縮によって前記表面シートの外面から離間し、前記胴周り域から前記股下域へ向かって開口するポケットが、前記表面シートと前記防漏シートの自由端部との間に画成されていることにある。
【０００９】
本発明の実施の態様の一例としては、前記第１弾性部材の伸長応力が、０．２〜２Ｎ／２５ｍｍの範囲、前記第２弾性部材の伸長応力が、０．０５〜１Ｎ／２５ｍｍの範囲にあり、前記コアのＪＩＳ Ｐ ８１２５による剛軟度が、０．２〜０．０２Ｎ・ｃｍの範囲にある。
【００１０】
【発明の実施の形態】
添付の図面を参照し、本発明に係る使い捨て着用物品の詳細を、パンツ型の使い捨ておむつを例として説明すると、以下のとおりである。
【００１１】
図１，２は、使い捨ておむつ１の部分破断斜視図と、パンツ型に成形する以前の状態で示すおむつ１の部分破断斜視図とである。図１，２では、胴周り方向を矢印Ｘ、縦方向を矢印Ｙ１で示し、脚周り方向を矢印Ｙ２で示す。なお、表面シート２と裏面シート３との内面とは、コア４に対向する面をいい、それらシート２，３の外面とは、コア４に非対向の面をいう。
【００１２】
おむつ１は、肌当接側に位置する透液性表面シート２と、肌非当接側に位置する不透液性裏面シート３と、それらシート２，３の間に介在する吸液性コア４とから構成されている。おむつ１は、互いに対向する前胴周り域５および後胴周り域７と、それら胴周り域５，７の間に位置する股下域６とを有する。おむつ１は、前後胴周り域５，７を胴周り方向へ延びる胴周り端部８と、前後胴周り域５，７を縦方向へ延びる胴周り側部９と、股下域６を脚周り方向へ延びる脚周り側部１０とを有する。
【００１３】
おむつ１では、胴周り側部９が合掌状に重なり合い、胴周り側部９が縦方向へ間欠的に並ぶ多数の熱融着線１１を介して固着されている。おむつ１には、胴周り開口１２とその下方に一対の脚周り開口１３とが画成されている。おむつ１は、図２に示すように、脚周り側部１０が胴周り方向内方へ向かって弧を画き、その平面形状が略砂時計を呈する。
【００１４】
コア４は、股下域６を中心に前後胴周り域５，７へ向かって延び、前後胴周り域５，７に位置して胴周り端部８に並行する両端縁４ａと、胴周り側部９および脚周り側部１０に並行する両側縁４ｂとを有する。コア４は、表面シート２と裏面シート３との少なくとも一方の内面に接合されている。
【００１５】
前後胴周り域５，７には、表面シート２の外面を胴周り方向へ延びる実質的に不透液性の防漏シート１４が取り付けられている。脚周り側部１０には、表面シート２の外面を脚周り方向へ延びる実質的に不透液性の防漏カフ１５が取り付けられている。
【００１６】
胴周り端部８には、胴周り方向へ延びる複数条の胴周り用弾性部材１６が伸長状態で取り付けられている。脚周り側部１０には、脚周り方向へ延びる複数条の脚周り用弾性部材１７が伸長状態で取り付けられている。
【００１７】
防漏シート１４は、コア４の両端縁４ａの内側及び胴周り端部８を胴周り方向へ延びる固定端部１４ａと、胴周り側部９を縦方向へ延びる固定両側部１４ｂと、固定端部１４ａから股下域６の側に偏倚した位置を胴周り方向へ延びる自由端部１４ｃとを有する。固定端部１４ａには、胴周り方向へ延びる複数条の弾性部材１８（第１弾性部材）が伸長状態で取り付けられている。自由端部１４ｃの股下域６の側に位置する内端縁１４ｄ近傍には、胴周り方向へ延びる複数条の弾性部材１９（第２弾性部材）が伸長状態で取り付けられている
【００１８】
防漏カフ１５は、コア４の両側縁４ｂの外側を脚周り方向へ延びる固定縁部１５ａと、固定縁部１５ａに並行して脚周り方向へ延びる自由縁部１５ｂと、前後胴周り域５，７に位置しておむつ１の胴周り方向内方へ倒伏した固定両端部１５ｃとを有する。固定両端部１５ｃは、表面シート２と防漏シート１４との間に介在している。防漏カフ１５では、固定縁部１５ａから横方向外方へ側部１５ｄが延びている。自由縁部１５ｂには、脚周り方向へ延びる弾性部材２０が伸長状態で取り付けられている。弾性部材２０は、自由縁部１５ｂの一部に被覆されている。
【００１９】
図２の状態からパンツ型のおむつ１に成形するには、表面シート２が内側になるように、おむつ１を中心線Ｌで折曲して前後胴周り域５，７の胴周り側部９を合掌状に重ね合わせ、胴周り側部９を固着して前後胴周り域５，７を連結する。
【００２０】
おむつ１では、防漏シート１４の固定端部１４ａに延びる弾性部材１８が胴周り方向内方へ向かって収縮し、弾性部材１８がコア４の剛性に抗ってコア４の端縁４ａ近傍を肌非当接側へ向かって凸となるように胴周り方向へ湾曲させる。さらに、おむつ１では、防漏シート１４の自由端部１４ｃに延びる弾性部材１９が胴周り方向内方へ向かって収縮し、防漏シート１４の自由端部１４ｃが表面シート２の外面から離間する。
【００２１】
表面シート２と防漏シート１４の自由端部１４ｃとの間には、前後胴周り域５，７から股下域６へ向かって開口するポケットＰが画成されている。おむつ１では、弾性部材１８がコア４の端縁４ａ近傍を胴周り方向へ湾曲させるので、弾性部材１９が胴周り方向内方へ向かって収縮し易く、ポケットＰがその口を容易に開けることができる。
【００２２】
おむつ１では、排泄物が表面シート２上を拡散して胴周り端部８に達したとしても、排泄物がポケットＰに収容されるので、胴周り端部８からの排泄物の漏れを防ぐことができる。おむつ１では、従来技術のそれと比較し、ポケットＰの口を開けるために発泡部材を利用してはいないので、おむつ１を着用したときの違和感がない。
【００２３】
おむつ１では、股下域６が表面シート２を内側にして脚周り方向へ湾曲すると、防漏カフ１５の自由縁部１５ｂに延びる弾性部材２０が脚周り方向内方へ向かって収縮し、防漏カフ１５の自由縁部１５ｂが表面シート２の外面から起立する。おむつ１では、自由縁部１５ｂが排泄物に対する障壁を形成するので、脚周り側部１０からの排泄物の漏れを防ぐことができる。
【００２４】
おむつ１では、弾性部材１８の伸長応力が０．２〜２Ｎ／２５ｍｍの範囲、弾性部材１９の伸長応力が０．０５〜１Ｎ／２５ｍｍの範囲にあり、コア４のＪＩＳ Ｐ ８１２５（荷重曲げ方法によるこわさ試験方法）による剛軟度が、０．２〜０．０２Ｎ・ｃｍの範囲にある。コア４の剛軟度が０．２Ｎ・ｃｍを超過し、かつ、弾性部材１８の伸長応力が０．２Ｎ／２５ｍｍ未満では、コア４の剛性によって弾性部材１８が胴周り方向内方へ向かって収縮することができず、コア４の端縁４ａ近傍を肌非当接側へ向かって凸なるように胴周り方向へ湾曲させることができない。弾性部材１８の伸長応力が２Ｎ／２５ｍｍを超過し、かつ、コア４の剛軟度が０．０２Ｎ・ｃｍ未満では、コア４に不規則な多数の皺が形成され、コア４の排泄物吸収機能が低下してしまう。弾性部材１９の伸長応力が０．０５／２５ｍｍ未満では、防漏シート１４の自由端部１４ｃを表面シート２の外面から離間させることができない。
【００２５】
図３，４は、図２のＡ−Ａ線矢視断面図と、図２のＢ−Ｂ線矢視断面図とであり、図５は、図２のＣ−Ｃ線端面図である。胴周り端部８では、表面シート２の端部２ａと裏面シート３の端部３ａとがコア４の両端縁４ａから縦方向外方へ延び、それらシート２，３の端部２ａ，３ａどうしが互いに重なり合った状態で固着されている。
【００２６】
胴周り側部９と脚周り側部１０とでは、表面シート２の側部２ｂがコア４の両側縁４ｂから胴周り方向外方へ延び、表面シート２の側部２ｂからさらに胴周り方向外方へ裏面シート３の側部３ｂと防漏カフ１５の側部１５ｄとが延びている。胴周り側部９と脚周り側部１０とでは、表面シート２と裏面シート３との側部２ｂ，３ｂどうしが互いに重なり合った状態で固着され、裏面シート３と防漏カフ１５との側部３ｂ，１５ｄどうしが互いに重なり合った状態で固着されている。
【００２７】
防漏カフ１５の固定縁部１５ａは、表面シート２の側部２ｂ外面に固着されている。防漏カフ１５の固定両端部１５ｃは、表面シート２の端部２ａ外面に固着されている。胴周り用弾性部材１６は、端部２ａと端部３ａとの間に介在し、それら端部２ａ，３ａに固着されている。脚周り用弾性部材１７は、側部３ｂと側部１５ｄとの間に介在し、それら側部３ｂ，１５ｄに固着されている。
【００２８】
防漏シート１４は、その内端縁１４ｄで折曲された互いに重なり合う二重のものである。防漏シート１４の固定端部１４ａは、表面シート２の端部２ａ外面と防漏カフ１５の固定両端部１５ｃおよび側部１５ｄとに固着されている。防漏シート１４の固定両側部１４ｂは、前後胴周り域５，７に位置する防漏カフ１５の側部１５ｄに固着されている。弾性部材１８，１９は、防漏シート１５の間に介在し、それに固着されている。
【００２９】
表裏面シート２，３や防漏シート１４、カフ１５に対する弾性部材１６，１７，１８，１９の固着には、ホットメルト型接着剤を使用することが好ましい。シート２，３，１４やカフ１５と弾性部材１６，１７，１８，１９とのホットメルト型接着剤による固着には、接着剤をスパイラル状やスプレー状に塗布するパターンを適宜選択することができる。ただし、弾性部材１６，１７，１８，１９をシート２，３，１４やカフ１５に確実に固着するには、弾性部材の全表面積に対する接着剤の塗工面積率が２０〜８０％の範囲にあることが好ましい。接着剤の塗工面積率が２０％未満では、弾性部材１６，１７，１８，１９がシート２，３，１４やカフ１５から外れてしまう場合がある。接着剤の塗工面積率が８０％を超過すると、弾性部材１６，１７，１８，１９の収縮が接着剤によって妨げられてしまう。
【００３０】
表面シート２には、親水性または疎水性の繊維不織布、または、微細な多数の開孔を有するプラスチックフィルムを使用することができる。裏面シート３や防漏シート１４、防漏カフ１５には、疎水性繊維不織布、通気不透液性のプラスチックフィルム、疎水性繊維不織布を重ね合わせた複合不織布、疎水性繊維不織布と通気不透液性のプラスチックフィルムとを重ね合わせた複合シートのいずれかを使用することができる。
【００３１】
裏面シート３や防漏シート１４、防漏カフ１５には、高い耐水性を有するメルトブローン法による繊維不織布を、高い強度を有しかつ柔軟性に富んだスパンボンド法による繊維不織布で挟んだ複合不織布を使用することもできる。
【００３２】
不織布としては、スパンレース、ニードルパンチ、メルトブローン、サーマルボンド、スパンポンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンまたはポリエステルからなる芯鞘型複合繊維または並列型複合繊維を使用することができる。
【００３３】
コア４は、フラッフパルプと高吸収性ポリマー粒子との混合物、または、フラッフパルプと高吸収性ポリマー粒子と熱可塑性合成樹脂繊維との混合物であり、所要の厚みに圧縮されている。コア４は、それの型崩れやポリマー粒子の脱落を防止するため、全体がティッシュペーパーに被覆、接合されていることが好ましい。ポリマー粒子としては、デンプン系、セルロース系、合成ポリマー系のものを使用することができる。
【００３４】
表裏面シート２，３の固着、コア４の接合、防漏シート１４や防漏カフ１５の固着には、ホットメルト型接着剤による接着、または、ヒートシールやソニックシール等の熱による溶着手段を利用することができる。
【００３５】
おむつ１では、防漏シート１４が前後胴周り域５，７のうちの少なくとも一方に取り付けられていればよい。この発明は、パンツ型の使い捨ておむつ１の他に、オープン型の使い捨ておむつにも実施することができる。
【００３６】
【発明の効果】
本発明にかかる使い捨て着用物品によれば、防漏シートの自由端部に延びる第２弾性部材が胴周り方向内方へ向かって収縮することで、防漏シートの自由端部が表面シートの外面から離間し、表面シートと防漏シートの自由端部との間に胴周り域から股下域へ向かって開口するポケットが画成される。この着用物品では、防漏シートの固定端部に延びる第１弾性部材がコアの剛性に抗ってコアの端縁近傍を肌非当接側へ向かって凸となるように胴周り方向へ湾曲させるので、第２弾性部材が胴周り方向内方へ向かって収縮し易く、ポケットがその口を容易に開けることができる。
【００３７】
この着用物品では、排泄物が表面シート上を拡散して胴周り開口縁部に達したとしても、排泄物がポケットに収容されるので、胴周り開口縁部からの排泄物の漏れを防ぐことができる。この着用物品では、従来技術のそれと比較し、ポケットの口を開けるために発泡部材を利用してはいないので、物品を着用したときの違和感がない。
【図面の簡単な説明】
【図１】使い捨ておむつの部分破断斜視図。
【図２】前後へ展開した状態で示すおむつの部分破断斜視図。
【図３】図２のＡ−Ａ線矢視断面図。
【図４】図２のＢ−Ｂ線矢視断面図。
【図５】図２のＣ−Ｃ線端面図。
【符号の説明】
１            パンツ型の使い捨ておむつ（使い捨て着用物品）
２            透液性表面シート
３            不透液性裏面シート
４            吸液性コア
４ａ          端縁
４ｂ          両側縁
５            前胴周り域
６            股下域
７            後胴周り域
１４            防漏シート
１４ａ          固定端部
１４ｂ          固定両側部
１４ｃ          自由端部
１４ｄ          内端縁
１８            弾性部材（第１弾性部材）
１９            弾性部材（第２弾性部材）
Ｐ            ポケット
【図１】
0003926585.tif 000002
【図２】
0003926585.tif 000003
【図３】
0003926585.tif 000004
【図４】
0003926585.tif 000005
【図５】
0003926585.tif 000006